(57)【要約】【課題】  高いズーム比と薄型化を両立したズームレンズを実現する。【解決手段】  物体側より像側へ順に、正の屈折力の第１レンズ群、負の屈折力の第２レンズ群、光路を折り曲げるための反射面を含んだ反射ユニット、負の屈折力の第３レンズ群、正の屈折力の第４レンズ群、正または負の屈折力の第５レンズ群を有し、ズーミングに際して少なくとも第２レンズ群と第４レンズ群が移動すると共に反射ユニットが不動であって、第１レンズ群の焦点距離ｆ１が適切に設定されていることを特徴とするズームレンズ。【選択図】  図１
2010152318.tif 000002
【特許請求の範囲】
【請求項１】
物体側より像側へ順に、正の屈折力の第１レンズ群、負の屈折力の第２レンズ群、光路を折り曲げるための反射面を含んだ反射ユニット、負の屈折力の第３レンズ群、正の屈折力の第４レンズ群、正または負の屈折力の第５レンズ群を有し、
広角端から望遠端へのズーミングに際して、少なくとも前記第２レンズ群、第４レンズ群が移動すると共に、前記反射ユニットが不動であり、
前記第１レンズ群の焦点距離をｆ１、広角端及び望遠端における全系の焦点距離をそれぞれｆｗ、ｆｔとしたとき、
０．７＜ｆ１／√（ｆｗ・ｆｔ）≦１．７
なる条件式を満足することを特徴とするズームレンズ。
【請求項２】
広角端から望遠端へズーミングするときの前記第１レンズ群の移動量をＭ１（像側へ移動する場合を正とする）としたとき、
−０．５＜Ｍ１／√（ｆｗ・ｆｔ）＜０．２
なる条件式を満足することを特徴とする請求項１に記載のズームレンズ。
【請求項３】
前記第４レンズ群の焦点距離をｆ４としたとき、
０．４＜ｆ４／√（ｆｗ・ｆｔ）＜１．５
なる条件式を満足することを特徴とする請求項１または２に記載のズームレンズ。
【請求項４】
前記第３レンズ群の焦点距離をｆ３としたとき、
０．０＜ｆ４／｜ｆ３｜＜０．４
なる条件式を満足することを特徴とする請求項１乃至３のいずれか１項に記載のズームレンズ。
【請求項５】
前記第２レンズ群は、少なくとも１枚の負レンズと、少なくとも１枚の正レンズを含み、それぞれの平均アッベ数をｖｎ，ｖｐとしたとき、
１．５＜ｖｎ／ｖｐ＜５．０
なる条件式を満足することを特徴とする請求項１乃至４のいずれか１項に記載のズームレンズ。
【請求項６】
前記第１レンズ群及び前記第２レンズ群の沈胴において、前記反射ユニットが移動することによって生じる空間へ前記第１レンズ群及び前記第２レンズ群を移動させることを特徴とする請求項１乃至５のいずれか１項に記載のズームレンズ。
【請求項７】
請求項１乃至６のいずれか１項に記載のズームレンズと、該ズームレンズが形成する像を受光する光電変換素子とを有することを特徴とするカメラ。
【発明の詳細な説明】
【技術分野】
【０００１】
本発明はズームレンズに関する。本発明のズームレンズは、例えば、デジタルスチルカメラ等の撮影光学系に好適である。
【背景技術】
【０００２】
最近、固体撮像素子を用いた撮像装置（デジタルスチルカメラ）の高機能化にともない、それに用いる撮影光学系には高ズーム比でコンパクトなズームレンズが求められている。
【０００３】
カメラのコンパクト化とズームレンズの高ズーム比化を両立するための１つの方式として、非撮影時に各レンズ群の間隔を撮影状態と異なる間隔まで縮小してカメラ筐体内に収納する、沈胴式のズームレンズが広く用いられている。
【０００４】
また、別の方式として、特許文献１，２には、反射面を含んだプリズム等で撮影光学系の光路を９０°折り曲げてカメラの厚みを薄くした、屈曲式のズームレンズが開示されている。
【０００５】
更に、両方式を複合した方式として、特許文献３には、プリズム等の反射ユニットが移動することによって生じた空間に、反射ユニットの物体側に位置するレンズ群を沈胴収納する方式が開示されている。以下、この方式を「屈曲沈胴式」と称する。
【先行技術文献】
【特許文献】
【０００６】
【特許文献１】特開２００８−０８９６９０号公報
【特許文献２】特開２００４−１０２０８９号公報
【特許文献３】特開２００６−２５９６８５号公報
【発明の概要】
【発明が解決しようとする課題】
【０００７】
特許文献１、２のズームレンズは、第２レンズ群に反射ユニットが配置されているため、ズーミング時に第２レンズ群は不動である。そして、第１レンズ群が大きく移動することによって高いズーム比を実現している。また、第１レンズ群の屈折力が小さいため、ズーミング時の移動量が大きくなってしまい、カメラの厚みを薄くすることが難しい。
【０００８】
特許文献３のような屈曲沈胴式のズームレンズは、カメラの薄型化と高いズーム比を高いレベルで両立可能な構成ではあるが、反射ユニットを退避させつつ、反射ユニットの物体側に位置するレンズ群を移動させるため、その機構を考慮した光学系にする必要がある。ところが、特許文献３のように、ズーミングに際して第１レンズ群を大きく移動させる光学系は機構上不利であり、カメラの薄型化と高いズーム比を両立させることが困難である。
【０００９】
具体的に説明する。反射ユニットを退避させつつ、反射ユニットの物体側に位置するレンズ群を沈胴させるためには、反射ユニットの物体側に位置するレンズ群を移動させるためのカム筒に、反射ユニット退避用の大きな切欠を設けなければならない。この切欠によって、カム筒の回転角度が十分に確保できなくなり、第１レンズ群を大きく移動させることができなくなる。
【課題を解決するための手段】
【００１０】
本発明は、高いズーム比と薄型化を両立できるズームレンズを提供することを目的とする。
【００１１】
本発明は、物体側より像側へ順に、正の屈折力の第１レンズ群、負の屈折力の第２レンズ群、光路を折り曲げるための反射面を含んだ反射ユニット、負の屈折力の第３レンズ群、正の屈折力の第４レンズ群、正または負の屈折力の第５レンズ群を有し、
広角端から望遠端へのズーミングに際して、少なくとも前記第２レンズ群、第４レンズ群が移動すると共に、前記反射ユニットが不動であり、
前記第１レンズ群の焦点距離をｆ１、広角端及び望遠端における全系の焦点距離をそれぞれｆｗ、ｆｔとしたとき、
０．７＜ｆ１／√（ｆｗ・ｆｔ）＜１．７
なる条件式を満足することを特徴としている。
【発明の効果】
【００１２】
本発明によれば、高いズーム比と薄型化を両立したズームレンズを実現することができる。
【図面の簡単な説明】
【００１３】
【図１】本発明の実施例１のレンズ断面図
【図２】本発明の実施例１の収差図
【図３】本発明の実施例２のレンズ断面図
【図４】本発明の実施例２の収差図
【図５】本発明の実施例３のレンズ断面図
【図６】本発明の実施例３の収差図
【図７】本発明の実施例４のレンズ断面図
【図８】本発明の実施例４の収差図
【図９】本発明の実施例５のレンズ断面図
【図１０】本発明の実施例５の収差図
【図１１】本発明のズームレンズを用いた撮像装置の概略構成図
【発明を実施するための形態】
【００１４】
以下、図面を用いて本発明のズームレンズの実施例について説明する。初めに本発明のズームレンズの概略について説明する。
【００１５】
図１１は、本発明のズームレンズを有するデジタルスチルカメラの概略構成図である。図１１（Ａ）は撮影状態であり、図１１（Ｂ）は収納状態（沈胴状態）を表している。
【００１６】
図１１において、Ｌ１は、正の屈折力（光学的パワー＝焦点距離の逆数）の第１レンズ群、Ｌ２は負の屈折力の第２レンズ群である。ＰＲは光路を折り曲げるための反射面を含んだ反射ユニットとしてのプリズムである。Ｌ３は負の屈折力の第３レンズ群である。Ｌ４は正の屈折力の第４レンズ群である。Ｌ５は正または負の屈折力の第５レンズ群である。なお、第５レンズ群の像側に、正の屈折力の第６レンズ群を更に備えていても良い。ＩＰは、ズームレンズによって形成された像を受光するＣＣＤセンサやＣＭＯＳセンサ等の固体撮像素子（光電変換素子）である。
【００１７】
本発明のズームレンズでは、広角端から望遠端へのズーミングに際して、少なくとも第２レンズ群Ｌ２と第４レンズ群Ｌ４を移動させると共に、反射ユニットＰＲを不動としている。
【００１８】
ズーミング時に不動の反射ユニットＰＲを配置することにより、ズームレンズの光路を折り曲げてカメラボディ内部のスペースを有効利用することが可能になり、高ズーム比の薄型ズームレンズを構成することができる。
【００１９】
また、最も物体側に正の屈折力の第１レンズ群Ｌ１を配置すると共に、少なくとも第２レンズ群Ｌ２と第４レンズ群Ｌ４を移動させてズーミングを行なうことにより、高いズーム比を達成することができる。
【００２０】
特に、負の屈折力の第３レンズ群Ｌ３を配置することにより、ズーミング時の移動量が大きい第４レンズ群Ｌ４の正の屈折力を大きくすることができる。このように、プリズムＰＲよりも像側に配置されたレンズ群の変倍分担を大きくすることによって高いズーム比を実現するとともに、第１レンズ群Ｌ１と第２レンズ群Ｌ２による変倍分担を低減することによってカメラの厚みを薄くすることが可能になる。つまり、本発明によれば、第１レンズ群Ｌ１をズーミングに際して不動もしくは移動量を小さくしても、全体として高いズーム比を達成することができる。
【００２１】
さらに、本発明のズームレンズは、以下の条件式を満足することを特徴としている。
０．７＜ｆ１／√（ｆｗ・ｆｔ）≦１．７・・・（１）
ただし、第１レンズ群Ｌ１の焦点距離をｆ１、広角端及び望遠端における全系の焦点距離をそれぞれｆｗ、ｆｔとしている。
【００２２】
条件式（１）は第１レンズ群Ｌ１の屈折力が比較的大きいことを特定している。第１レンズ群Ｌ１の屈折力を比較的大きくしたことにより、ズーミング時の第１レンズ群Ｌ１および第２レンズ群Ｌ２の移動量を小さくすることができるため、カメラの厚みを薄くすることができる。
【００２３】
条件式（１）の下限を超えると、第１レンズ群Ｌ１の屈折力が大きくなりすぎて、第１レンズ群Ｌ１を構成する正レンズの厚みが大きくなってしまう。逆に、条件式（１）の上限を超えると、第１レンズ群Ｌ１の屈折力が小さくなりすぎるため、所望のズーム比を実現するためのレンズ群の移動量が大きくなり、カメラの厚みを薄くすることができない。
【００２４】
望ましくは、条件式（１ａ）を満足するように構成すると良い。条件式（１ａ）を満足することにより、特にカメラの厚みを薄く設計することができる。
１．０＜ｆ１／√（ｆｗ・ｆｔ）≦１．７・・・（１ａ）
次に本発明のズームレンズにおける好ましい構成について説明する。
【００２５】
撮影状態（図１１（Ａ））から収納状態（図１１（Ｂ））へ移る際は、反射ユニットＰＲであるプリズムが移動すると共に、プリズムＰＲが移動することによって生じた空間に第１レンズ群Ｌ１及び第２レンズ群Ｌ２を沈胴収納するのが好ましい。このような屈曲沈胴式のズームレンズを採用することによって、カメラのさらなる薄型化を実現することができる。
【００２６】
前述したように、プリズムＰＲを退避させつつ、第１レンズ群Ｌ１及び第２レンズ群Ｌ２を沈胴させるためには、カム筒にプリズム退避用の大きな切欠（開口）が必要になる。このため、第１レンズ群Ｌ１をズーミングに際して移動させるためのカム溝をカム筒に設けることが困難となる。そこで、ズーミングに際して第１レンズ群Ｌ１を不動もしくは移動量を小さくする代わりに、第２レンズ群Ｌ２を第１レンズ群Ｌ１に比して大きく移動させるのが良い。第２レンズ群Ｌ２は、第１レンズ群Ｌ１に比べて小型軽量なレンズ群であるため、ステッピングモータ等の小型の駆動源と送りネジとによる駆動機構を第２レンズ群Ｌ２の周囲に配置できる。このため、カム筒による駆動機構を採用せずとも第２レンズ群Ｌ２を移動させることができる。
【００２７】
このような構成により、無理のない機構での屈曲沈胴式のズームレンズを実現している。
【００２８】
また、本発明のズームレンズにおいて、広角端から望遠端までズーミングするときの前記第１レンズ群の移動量をＭ１（物体側への移動量を−符号とする）としたとき、
−０．５＜Ｍ１／√（ｆｗ・ｆｔ）＜０．２・・・（２）
なる条件式を満足することが好ましい。
【００２９】
条件式（２）の下限を超えて、第１レンズ群を物体側へ大きく移動させた場合には、ズーム比を高くするためには有利であるが、第１レンズ群Ｌ１を移動させるためのカム筒が長くなり、カメラの厚みを薄くすることが難しくなる。逆に、条件式（２）の上限を超えると、所望のズーム比を実現することが難しくなる。
【００３０】
望ましくは、条件式（２ａ）を満足するように構成すると良い。条件式（２ａ）を満足することで、カメラの厚みを薄くすると共に、高いズーム比を達成するためにより適した設計ができる。
−０．４５＜Ｍ１／√（ｆｗ・ｆｔ）＜０．１５・・・（２ａ）
また、条件式（２ｂ）を満足するように、第１レンズ群を物体側へ移動させると、高いズーム比を実現しやすくなるため更に好ましい。
−０．４５＜Ｍ１／√（ｆｗ・ｆｔ）＜０・・・（２ｂ）
また、本発明のズームレンズにおいて、第４レンズ群Ｌ４の焦点距離をｆ４としたとき、
０．４＜ｆ４／√（ｆｗ・ｆｔ）＜１．５・・・（３）
なる条件式を満足することが好ましい。
【００３１】
条件式（３）は、第４レンズ群Ｌ４の屈折力を特定したものである。条件式（４）の下限を超えると、第４レンズ群Ｌ４の屈折力が大きくなりすぎるため、必要となる正レンズの枚数が多くなり、カメラの薄型化が難しくなる。逆に、条件式（３）の上限を超えると、第４レンズ群Ｌ４の屈折力が小さくなりすぎるため、所望のズーム比を達成することが困難になる。
【００３２】
望ましくは、条件式（３ａ）を満足するように構成すると良い。条件式（３ａ）を満足することで、カメラの厚みを薄くすると共に、高いズーム比を達成するためにより適した設計ができる。
０．６＜ｆ４／√（ｆｗ・ｆｔ）＜１．３・・・（３ａ）
また、本発明のズームレンズにおいて、第３レンズ群Ｌ３の焦点距離をｆ３としたとき、
０．０＜ｆ４／｜ｆ３｜＜０．４・・・（４）
なる条件式を満足することが好ましい。
【００３３】
条件式（４）は、第３レンズ群Ｌ３と第４レンズ群Ｌ４の焦点距離の比を規定したものである。条件式（４）の上限と下限のどちらを超えても、第３レンズ群Ｌ３または第４レンズ群Ｌ４の屈折力が大きくなり過ぎるため、所望のズーム比を達成できないか、必要なレンズ枚数が多くなってカメラが大型化してしまう。
【００３４】
望ましくは、条件式（４ａ）を満足するように構成すると良い。条件式（４ａ）を満足することで、カメラの厚みを薄くすると共に、高いズーム比を達成するためにより適した設計ができる。
０．０＜ｆ４／｜ｆ３｜＜０．２５・・・（４ａ）
また、本発明のズームレンズにおいて、第２レンズ群Ｌ２は、少なくとも１枚の負レンズと、少なくとも１枚の正レンズを含み、それぞれの平均アッベ数をｖｎ，ｖｐとしたとき、
１．５＜ｖｎ／ｖｐ＜５．０・・・（５）
なる条件式を満足することが好ましい。
【００３５】
条件式（５）は、第２レンズ群Ｌ２を構成する少なくとも１枚の負レンズと、少なくとも１枚の正レンズについて、それぞれの平均アッベ数の比を規定したものである。なお、第２レンズ群Ｌ２を構成する負レンズ、正レンズが１枚であるときは、平均アッベ数ｖｎ，ｖｐは、１枚の負レンズまたは１枚の正レンズのアッベ数そのものとする。
【００３６】
条件式（５）の下限を超えると、第２レンズ群Ｌ２の内部における色収差の補正が困難になるため、ズーミング時の収差変動が大きくなりやすい。逆に上限を超えると、負レンズに関して低屈折率材を採用せざるを得なくなり、カメラを薄型にすることが難しくなる。
【００３７】
望ましくは、条件式（５ａ）満足するように構成すると良い。条件式（５ａ）を満足することで、よりカメラの厚みを薄くすることができる。
１．９＜ｖｎ／ｖｐ＜３．０・・・（５ａ）
次に、図面を用いて本発明のズームレンズの実施例を具体的に説明する。
図１は実施例１のズームレンズの広角端におけるレンズ断面図である。図２（Ａ）、（Ｂ）はそれぞれ、実施例１のズームレンズの広角端、望遠端における収差図である。
図３は実施例２のズームレンズの広角端におけるレンズ断面図である。図４（Ａ）、（Ｂ）はそれぞれ、実施例２のズームレンズの広角端、望遠端における収差図である。
図５は実施例３のズームレンズの広角端におけるレンズ断面図である。図６（Ａ）、（Ｂ）はそれぞれ、実施例３のズームレンズの広角端、望遠端における収差図である。
図７は実施例４のズームレンズの広角端におけるレンズ断面図である。図８（Ａ）、（Ｂ）はそれぞれ、実施例４のズームレンズの広角端、望遠端における収差図である。
図９は実施例５のズームレンズの広角端におけるレンズ断面図である。図１０（Ａ）、（Ｂ）はそれぞれ、実施例５のズームレンズの広角端、望遠端における縦収差図である。
【００３８】
実施例１〜５は、それぞれ後述する数値実施例１〜５に対応する。
【００３９】
図１，３，５，７に示したレンズ断面図において、Ｌ１は正の屈折力の第１レンズ群、Ｌ２は負の屈折力の第２レンズ群、Ｌ３は負の屈折力の第３レンズ群、Ｌ４は正の屈折力の第４レンズ群、Ｌ５は正の屈折力の第５レンズ群である。実施例３におけるＬ６は正の屈折力の第６レンズ群である。
【００４０】
図９に示したレンズ断面図において、Ｌ１は正の屈折力の第１レンズ群、Ｌ２は負の屈折力の第２レンズ群、Ｌ３は負の屈折力の第３レンズ群、Ｌ４は正の屈折力の第４レンズ群、Ｌ５は負の屈折力の第５レンズ群、Ｌ６は正の屈折力の第６レンズ群である。
【００４１】
各レンズ断面図において、左側が物体側（前方）、右側が像側（後方）であり、物体側から像側へ順に、第１レンズ群Ｌ１、第２レンズ群Ｌ２、プリズムＰＲ、第３レンズ群Ｌ３、第４レンズ群Ｌ４、第５レンズ群Ｌ５が配置されている。なお、図５、９に示した実施例３、実施例５においては、第５レンズ群Ｌ５の像側に第６レンズ群Ｌ６が配置されている。
【００４２】
ＳＰは開口絞りである。ＧＢは光学フィルタや撮像素子のフェースプレート等を想定して設計上設けられたガラスブロックであり、複数の平行平板により構成されている。ＩＰは像面である。本実施例のズームレンズをデジタルスチルカメラの撮影光学系として使用する場合、像面ＩＰはＣＣＤセンサやＣＭＯＳセンサ等の固体撮像素子（光電変換素子）の撮像面に相当する。
【００４３】
図２，４，６，８，１０に示した収差図では、各実施例のズームレンズの球面収差、非点収差、歪曲、倍率色収差を示している。球面収差を表す図において、縦軸はＦナンバー（Ｆｎｏ）である。実線ｄはｄ線、破線ｇはｇ線を表す。非点収差、歪曲、倍率色収差を表す図における縦軸は、半画角（ω）である。非点収差を表す図における一点鎖線△Ｍはｄ線のメリディオナル像面、実線△Ｓはサジタル像面を表す。歪曲はｄ線によって表している。倍率色収差はｇ線によって表している。
【００４４】
レンズ断面図における矢印は、広角端から望遠端へズーミングする際の各レンズ群の移動軌跡（ズーム位置に対して各レンズ群の位置をプロットしたもの）を示している。
【００４５】
実施例１〜５のズームレンズは、ズーミングに際して、少なくとも第２レンズ群Ｌ２、第４レンズ群Ｌ４が光軸に沿って移動している。プリズムＰＲはズーミングのためには移動せず、不動である。なお、広角端、望遠端とはレンズ群が機構上、光軸上を移動可能な範囲の両端に位置したときのズーム位置をいう。
【００４６】
実施例１においては、広角端から望遠端へのズーミングに際し、第１レンズ群Ｌ１と反射ユニットＰＲ、第３レンズ群Ｌ３は不動とし、第２レンズ群Ｌ２を単調に像側へ、第４レンズ群Ｌ４を単調に物体側へ移動させている。なお、第２レンズ群Ｌ２は像側に凸状の軌跡で像側に移動させても良い。
【００４７】
変倍に伴う像面変動の補償は、第５レンズ群Ｌ５を物体側に凸状の軌跡で移動させることで行っている。撮影距離が変化したときのフォーカシングは、第５レンズ群Ｌ５にて行なっている。
【００４８】
手ぶれ補正は、第４レンズ群Ｌ４を構成するレンズの一部（第４レンズ群Ｌ４の物体側から数えて３番目の凸レンズ）を光軸に対して垂直方向の成分を持つように移動させることにより行なっている。
【００４９】
実施例２は、広角端から望遠端へのズーミングに際し、第３レンズ群Ｌ３を物体側に移動させることで、ズーム中間位置における球面収差・コマ収差などを良好に補正していることを特徴としており、その他の構成は実施例１と同様である。
【００５０】
実施例３では、広角端から望遠端へのズーミングに際し、反射ユニットＰＲ、第３レンズ群Ｌ３は不動としている。また、第１レンズ群Ｌ１を像側に凸の軌跡を描きながら物体側へ、第２レンズ群Ｌ２を単調に像側へ、第４レンズ群Ｌ４を単調に物体側へ、第５レンズ群Ｌ５を単調に物体側へ移動させている。本実施例は、正の屈折力を有する第６レンズ群Ｌ６を備えており、変倍に伴う像面変動の補償は、第６レンズ群Ｌ６を物体側に凸状の軌跡で移動させることで行っている。また、撮影距離が変化したときのフォーカシングを第６レンズ群Ｌ６にて行なっている。
【００５１】
なお、手ぶれ補正は、第４レンズ群Ｌ４全体を光軸に対して垂直方向の成分を持つように移動させることにより行なっている。
【００５２】
実施例４では、広角端から望遠端へのズーミングに際し、反射ユニットＰＲが不動である。本実施例は、全てのレンズ群をズーミングに際して移動させることにより、大型化を抑制しつつ、所望のズーム比を確保している。
【００５３】
実施例５では、広角端から望遠端へのズーミングに際し、反射ユニットＰＲ、第３レンズ群Ｌ３は不動としている。また、第１レンズ群を物体側へ、第２レンズ群を単調に像側へ、第４レンズ群を単調に物体側へ、第５レンズ群を単調に物体側へ、第６レンズ群を移動させている。本実施例は、広角端から望遠端へのズーミングに際して、負の屈折力の第５レンズ群を物体側に移動させることで、ズーミング時の収差変動を補正している。なお、第５レンズ群はズーミングに際して不動であっても良い。また、撮影距離が変化したときのフォーカシングを第６レンズ群Ｌ６にて行なっている。
【００５４】
手ぶれ補正は、第４レンズ群Ｌ４を構成するレンズの一部を光軸に対して垂直方向の成分を持つように移動させることにより行なっている。具体的には、第４レンズ群の最も像側に配置された正レンズを移動させることによって手ぶれ補正を行っている。
【００５５】
いずれの実施例においても、カメラの厚みに影響する第１レンズ群Ｌ１と第２レンズ群Ｌ２のズーミング時の移動量を小さくするために、条件式（１）を満足するように第１レンズ群Ｌ１の屈折力を設定している。また、負の屈折力の第３レンズ群Ｌ３を配置したことにより、第４レンズ群Ｌ４の正の屈折力が大きくなり、第４レンズ群Ｌ４を物体側へ大きく移動させることより、高いズーム比を実現している。
【００５６】
これらの効果により、第１レンズ群Ｌ１と第２レンズ群Ｌ２のズーミング時の移動量を減じて、高いズーム比と薄型化を高いレベルで両立している。
【００５７】
また、第１レンズ群Ｌ１を移動させるためのカム筒の長さを短くしつつ、所望のズーム比を達成するため、ズーミング時の第１レンズ群Ｌ１の移動量Ｍ１に関して、条件式（２）を満足している。
【００５８】
また、大きな屈折力を与えつつ薄型化を実現するため、第４レンズ群Ｌ４の屈折力を、条件式（３）を満足するように設定している。
【００５９】
また、第３レンズ群Ｌ３と第４レンズ群Ｌ４を構成するレンズ枚数を少なくしつつ、所望のズーム比を達成するため、条件式（４）を満足するように、第３レンズ群Ｌ３と第４レンズ群Ｌ４の屈折力を適切に設定している。
【００６０】
また、カメラの薄型化と光学性能を良好にバランスさせるため、第２レンズ群Ｌ２を構成する負レンズと正レンズを、条件式（５）を満足するように設定している。
【００６１】
実施例１〜５のズームレンズにおいて、ズーミング時のＦナンバーの変動を低減するため、ズーム位置に応じた開口絞りの制御を行っても良い。また、デジタルスチルカメラの場合には、光学系の残存する歪曲の電気的な補正（画像処理での補正）を行っても良い。
【００６２】
次に、実施例１〜５に各々対応する数値実施例１〜５を示す。
【００６３】
各数値実施例において、ｒは各面の曲率半径（単位：ｍｍ）、ｄは隣接する面の間隔（単位：ｍｍ）である。ｎｄは部材のｄ線に対する屈折率である。νｄは以下の式で表されるｄ線を基準とした部材のアッベ数である。
νｄ＝（Ｎｄ−１）／（ＮＦ−ＮＣ）
Ｎｄ：ｄ線（波長５８７．６ｎｍ）に対する屈折率
ＮＦ：Ｆ線（波長４８６．１ｎｍ）に対する屈折率
ＮＣ：Ｃ線（波長６５６．３ｎｍ）に対する屈折率
非球面形状は、光軸からの高さｈの位置での光軸方向の変位を、面頂点を基準にしてｘとするとき以下の式で定義される。
ｘ＝（ｈ２／Ｒ）／［１＋｛１−（１＋ｋ）（ｈ／Ｒ）２｝１／２］
＋Ａ４ｈ４＋Ａ６ｈ６＋Ａ８ｈ８＋Ａ１０ｈ１０
ここで、Ｋは円錐定数、Ａ４，Ａ６，Ａ８，Ａ１０は各項の非球面係数である。Ｒは近軸曲率半径である。
【００６４】
前述の各条件式と数値実施例における諸数値との関係を表１に示す。
【００６５】
数値実施例１
単位 mm
面データ
面番号       r        d      nd         vd       有効径
1         47.193    1.25   1.84666    23.8       24.96
2         22.500    4.42   1.59201    67.0       22.74
3       -294.131    0.08                         22.04
4         21.328    3.02   1.77250    49.6       20.57
5         96.161  (可変)                         19.99
6       -185.505    0.75   1.88300    40.8       14.54
7          8.659    3.30                         11.53
8        -20.793    1.00   1.77250    49.6       11.41
9*        23.729    0.05                         11.52
10         17.009    1.71   1.94595    18.0       11.70
11       1312.287  (可変)                         11.61
12          ∞       8.75   1.83400    37.2        8.61
13          ∞     (可変)                          7.44
14        -43.096    0.45   1.51633    64.1        7.22
15        -51.920  (可変)                          7.29
16*         7.916    3.13   1.58913    61.1        8.08
17        -25.562    0.25                          7.56
18        -37.626    0.55   1.74950    35.3        7.32
19         14.424    1.65                          6.99
20(絞り)    ∞       4.10                          6.83
21*        10.708    2.92   1.49710    81.6        7.88
22        -69.699    4.01                          7.58
23         -6.942    0.68   1.74320    49.3        6.88
24        -13.764  (可変)                          7.27
25*        26.780    2.69   1.69350    53.2       10.39
26        -18.810    0.55   1.84666    23.8       10.33
27        -36.499  (可変)                         10.33
28          ∞       0.30   1.49400    75.0       21.46
29          ∞       0.00                         21.46
30          ∞       0.50   1.51633    64.1       21.46
31          ∞                                    21.46
非球面データ
第9面
K =-1.02310e+000  A 4=-9.07934e-006  A 6=-1.20746e-007  A 8= 1.15417e-008  A10=-1.81191e-010
第16面
K =-3.45590e-001  A 4=-5.08301e-005  A 6=-7.53344e-007  A 8=-7.29355e-009
第21面
K =-4.39252e-001  A 4=-5.74677e-005  A 6= 2.23307e-006  A 8=-9.10787e-008  A10= 2.94561e-009
第25面
K = 3.03952e-001  A 4=-4.90484e-006  A 6= 4.37117e-007  A 8=-3.76365e-010  A10=-1.29106e-010
各種データ
ズーム比      9.39
広角     中間     望遠
焦点距離       7.02    23.33    65.88
Fナンバー      3.10     4.15     5.55
画角          28.90     9.43     3.37
像高           3.88     3.88     3.88
レンズ全長    55.74    55.74    55.74
BF            55.74    55.74    55.74
d 5            1.00     7.81    12.20
d11           12.00     5.16     0.81
d13            1.20     1.20     1.20
d15           15.57     4.93     0.50
d24            5.17    13.01    22.39
d27            5.36     8.13     3.17
入射瞳位置    21.70    51.19    98.57
射出瞳位置   -38.11  -177.00   120.47
前側主点位置  27.44    71.45   200.60
後側主点位置  -6.65   -22.96   -65.51
ズームレンズ群データ
群  始面    焦点距離  レンズ構成長  前側主点位置  後側主点位置
1    1      27.32         8.77         2.39         -2.90
2    6      -8.03         6.81         0.64         -4.51
PR  12       ∞           8.75         2.39         -2.39
3   14    -499.82         0.45        -1.48         -1.78
4   16      18.18        17.29        -5.12        -14.72
5   25      24.87         3.24         0.77         -1.16
6   28       ∞           0.80         0.27         -0.27
単レンズデータ
レンズ  始面  焦点距離
1       1    -52.00
2       2     35.49
3       4     34.86
4       6     -9.35
5       8    -14.21
6      10     18.21
7      12      0.00
8      14   -499.82
9      16     10.63
10      18    -13.85
11      21     18.90
12      23    -19.69
13      25     16.33
14      26    -46.51
15      28      0.00
16      30      0.00
【００６６】
数値実施例２
単位 mm
面データ
面番号       r        d      nd         vd       有効径
1         45.825    1.25   1.84666    23.8       25.53
2         22.500    4.55   1.59201    67.0       23.20
3       -341.036    0.08                         22.51
4         21.603    3.12   1.77250    49.6       21.06
5        100.716  (可変)                         20.47
6       -112.924    0.75   1.88300    40.8       14.76
7          8.706    3.27                         11.70
8        -24.097    1.00   1.77250    49.6       11.61
9*        25.397    0.05                         11.73
10         17.854    1.70   1.94595    18.0       11.91
11       1419.123  (可変)                         11.81
12          ∞       8.75   1.83400    37.2        8.56
13          ∞     (可変)                          7.65
14        -30.818    0.50   1.65844    50.9        7.72
15        -61.136  (可変)                          7.81
16*         8.160    3.17   1.58913    61.1        8.78
17        -30.248    0.23                          8.22
18        -52.236    0.55   1.74950    35.3        7.95
19         15.466    1.65                          7.55
20(絞り)    ∞       3.41                          7.11
21*        11.206    2.96   1.49710    81.6        8.30
22        -55.609    4.65                          8.01
23         -6.875    0.55   1.74320    49.3        7.09
24        -11.546  (可変)                          7.44
25*        28.108    2.44   1.69350    53.2        9.69
26        -24.166    0.55   1.84666    23.8        9.60
27        -70.476  (可変)                          9.58
28          ∞       0.30   1.49400    75.0       21.46
29          ∞       0.00                         21.46
30          ∞       0.50   1.51633    64.1       21.46
31          ∞                                    21.46
非球面データ
第9面
K =-1.94708e+000  A 4=-1.75848e-005  A 6=-4.88121e-007  A 8= 1.84742e-008  A10=-3.30788e-010
第16面
K =-3.63782e-001  A 4=-5.76821e-005  A 6=-6.84932e-007  A 8=-4.25839e-009
第21面
K =-5.07037e-001  A 4=-6.45555e-005  A 6= 1.94216e-006  A 8=-8.03587e-008  A10= 2.50413e-009
第25面
K = 1.95064e+000  A 4= 1.71821e-006  A 6= 4.25399e-007  A 8=-5.19636e-009  A10= 1.22742e-011
各種データ
ズーム比      9.42
広角     中間     望遠
焦点距離       7.02    23.31    66.13
Fナンバー      3.10     4.16     5.18
画角          28.91     9.44     3.35
像高           3.88     3.88     3.88
レンズ全長    54.12    54.12    54.12
BF            54.12    54.12    54.12
d 5            1.10     7.63    12.24
d11           11.96     5.41     0.81
d13            5.00     1.75     1.20
d15           10.88     3.90     0.50
d24            5.42    11.92    22.09
d27            5.45     9.15     3.00
入射瞳位置    22.29    50.54   101.80
射出瞳位置   -31.37   -64.14  -391.74
前側主点位置  27.76    65.44   156.78
後側主点位置  -6.55   -22.84   -65.67
ズームレンズ群データ
群  始面    焦点距離  レンズ構成長  前側主点位置  後側主点位置
1    1      27.25         8.99         2.42         -3.01
2    6      -8.26         6.77         0.51         -4.64
PR  12       ∞           8.75         2.39         -2.39
3   14     -95.00         0.50        -0.31         -0.61
4   16      16.37        17.17        -3.00        -13.86
5   25      33.24         2.99         0.39         -1.36
6   28       ∞           0.80         0.27         -0.27
単レンズデータ
レンズ  始面  焦点距離
1       1    -53.53
2       2     35.82
3       4     35.00
4       6     -9.13
5       8    -15.87
6      10     19.10
7      12      0.00
8      14    -95.00
9      16     11.25
10      18    -15.87
11      21     19.04
12      23    -24.07
13      25     19.10
14      26    -43.68
15      28      0.00
16      30      0.00
【００６７】
数値実施例３
単位 mm
面データ
面番号       r        d      nd         vd       有効径
1         27.409    1.20   1.84666    23.8       23.14
2         17.000    5.67   1.69680    55.5       20.78
3*       -63.919  (可変)                         19.44
4        -45.403    0.80   1.88300    40.8       16.16
5          9.646    3.35                         13.08
6*       -32.193    1.00   1.69680    55.5       13.10
7*        25.549    0.10                         13.33
8         19.232    2.25   1.92286    18.9       13.62
9       -257.294  (可変)                         13.53
10          ∞      10.00   1.80610    33.3       10.75
11          ∞     (可変)                          9.74
12        -21.336    0.50   1.77250    49.6        9.62
13        -28.020  (可変)                          9.69
14(絞り)    ∞       0.10                          8.32
15*        11.844    2.23   1.48749    70.2        9.08
16        -26.746    0.10                          9.08
17          6.162    2.26   1.52249    59.8        8.68
18          9.470    0.60   2.00330    28.3        7.74
19          5.405  (可変)                          6.95
20         23.624    2.21   1.51633    64.1        7.70
21         68.762  (可変)                          7.69
22*        12.864    2.23   1.48749    70.2        9.32
23         66.456  (可変)                          9.05
24          ∞       0.60   1.51633    64.1       20.00
25          ∞       0.80                         20.00
26          ∞       0.40   1.51633    64.1       20.00
27          ∞
非球面データ
第3面
K = 0.00000e+000  A 4= 1.21839e-005  A 6=-2.23611e-008  A 8= 5.93495e-011  A10=-4.26858e-014
第6面
K = 0.00000e+000  A 4=-4.65389e-005  A 6= 3.78954e-006  A 8=-3.68810e-008  A10= 3.08029e-010
第7面
K =-1.75374e+001  A 4= 3.15322e-005  A 6= 1.71209e-006  A 8=-2.07971e-008  A10=-1.36630e-011
第15面
K = 1.48056e+000  A 4=-2.46088e-004  A 6=-1.41274e-006  A 8=-3.94810e-008
第22面
K =-1.42172e-002  A 4=-1.07342e-005  A 6= 5.72804e-006  A 8=-3.33770e-007  A10= 6.81978e-009
各種データ
ズーム比      9.44
広角     中間     望遠
焦点距離       5.96    13.95    56.23
Fナンバー      2.93     3.89     5.69
画角          30.08    13.90     3.51
像高           3.45     3.45     3.45
レンズ全長    32.37    32.37    32.37
BF            32.37    32.37    32.37
d 3            0.77     5.57    12.08
d 9           11.57     5.97     0.55
d11            1.20     1.20     1.20
d13           21.74    13.23     0.50
d19           10.11    13.07     1.42
d21            4.83    12.22    35.76
d23            3.75     1.86     2.72
入射瞳位置    19.49    33.30    62.95
射出瞳位置   -66.87   1616.30   147.29
前側主点位置  24.92    47.37   140.67
後側主点位置  -5.82   -13.81   -56.09
ズームレンズ群データ
群  始面    焦点距離  レンズ構成長  前側主点位置  後側主点位置
1    1      31.13         6.87         1.18         -2.94
2    4      -9.56         7.50         0.02         -5.86
PR  10       ∞          10.00         2.77         -2.77
3   12    -119.68         0.50        -0.93         -1.22
4   14      20.51         5.29        -5.21         -6.64
5   20      68.56         2.21        -0.75         -2.18
6   22      32.28         2.23        -0.35         -1.83
7   24       ∞           1.80         0.73         -0.73
単レンズデータ
レンズ  始面  焦点距離
1       1    -55.82
2       2     19.84
3       4     -8.95
4       6    -20.30
5       8     19.47
6      10      0.00
7      12   -119.68
8      15     17.16
9      17     27.35
10      18    -13.55
11      20     68.56
12      22     32.28
13      24      0.00
14      26      0.00
【００６８】
数値実施例４
単位 mm
面データ
面番号       r        d      nd         vd       有効径
1         59.490    1.20   1.84666    23.8       27.54
2         26.459    4.68   1.59240    68.3       26.62
3       -144.991    0.05                         26.54
4         22.311    3.71   1.77250    49.6       24.88
5         75.691  (可変)                         24.20
6         30.075    0.70   1.88300    40.8       13.52
7          7.435    3.81                         10.57
8        -11.600    0.70   1.88300    40.8       10.17
9         38.883    0.05                         10.30
10*        20.145    2.89   2.14352    17.8       10.43
11       -129.690  (可変)                         10.24
12          ∞       8.50   1.83400    37.2        8.48
13          ∞     (可変)                          7.67
14        100.003    1.00   1.83400    37.2        7.97
15*        39.837  (可変)                          7.63
16*         7.974    2.70   1.65100    56.2        7.73
17         91.754    0.94                          7.64
18         17.630    0.70   1.80610    33.3        7.55
19          7.501    0.79                          7.26
20*        23.449    2.46   1.49700    81.6        7.33
21        -23.680  (可変)                          7.72
22*        14.214    2.84   1.51633    64.1       10.67
23        -34.599    0.60   1.84666    23.8       10.41
24       -280.114  (可変)                         10.32
25          ∞       0.31   1.54427    70.6       20.94
26          ∞       0.50   1.49400    75.0       20.94
27          ∞       0.40                         20.94
28          ∞       0.50   1.49831    65.1       20.94
29          ∞                                    20.94
非球面データ
第10面
K =-1.03347e+000  A 4=-2.38398e-005  A 6=-4.83283e-008  A 8=-2.47510e-008  A10= 3.89006e-010
第15面
K =-3.31844e+000  A 4=-6.56456e-006  A 6=-1.69541e-007
第16面
K =-4.63421e-001  A 4=-8.00900e-005  A 6=-3.40259e-007  A 8=-1.39155e-008
第20面
K = 1.20084e+000  A 4= 1.36295e-005  A 6= 1.60782e-007  A 8= 1.34386e-007
第22面
K = 6.91777e-002  A 4= 4.66205e-006  A 6= 7.37313e-007  A 8=-2.79366e-008  A10= 4.46765e-010
各種データ
ズーム比      7.68 
広角     中間     望遠
焦点距離       7.20    18.75    55.33
Fナンバー      3.11     3.72     4.42
画角          28.28    11.68     4.01
像高           3.88     3.88     3.88
レンズ全長    70.26    70.26    70.26
BF            70.26    70.26    70.26
d 5            0.60     7.62    13.77
d11            6.48     3.04     0.80
d13           12.60     5.70     2.30
d15            3.18     1.87     0.28
d21           11.62    17.57    27.28
d24            6.75     8.99     4.26
入射瞳位置    20.95    46.64   106.90
射出瞳位置   -45.37   -87.31  -2326.92
前側主点位置  27.06    61.46   160.91
後側主点位置  -5.07   -16.62   -53.19
ズームレンズ群データ
群  始面    焦点距離  レンズ構成長  前側主点位置  後側主点位置
1    1      29.89         9.63         2.37         -3.36
2    6      -7.89         8.15         1.17         -4.70
PR  12       ∞           8.50         2.32         -2.32
3   14     -80.00         1.00         0.91          0.36
4   16      16.63         7.60        -0.09         -5.80
5   22      33.09         3.44        -0.37         -2.55
6   25       ∞           1.71         0.63         -0.63
単レンズデータ
レンズ  始面  焦点距離
1       1    -57.24
2       2     38.16
3       4     39.75
4       6    -11.35
5       8    -10.05
6      10     15.41
7      12      0.00
8      14    -80.00
9      16     13.25
10      18    -16.71
11      20     24.12
12      22     19.91
13      23    -46.68
14      25      0.00
15      26      0.00
16      28      0.00
【００６９】
数値実施例５
単位 mm
面データ
面番号       r        d      nd         vd       有効径
1         43.287    1.25   1.84666    23.8       23.45
2         22.500    3.72   1.59201    67.0       22.41
3        337.014    0.08                         22.23
4         22.221    3.02   1.77250    49.6       21.48
5         85.423  (可変)                         20.92
6        241.556    1.00   1.84862    40.0       13.88
7*         7.319    3.24                         10.49
8        -16.585    0.75   1.77250    49.6       10.41
9         28.603    0.05                         10.53
10         17.010    1.58   1.94595    18.0       10.70
11       -268.954  (可変)                         10.62
12          ∞       8.75   1.83400    37.2        7.97
13          ∞     (可変)                          6.78
14        162.477    0.50   1.48749    70.2        6.53
15         55.082  (可変)                          6.57
16*         7.893    3.12   1.58913    61.1        8.25
17        -31.205    0.19                          7.76
18       -206.191    0.55   1.80610    33.3        7.51
19         13.007    1.72                          7.17
20(絞り)    ∞       4.17                          7.03
21*        11.285    2.85   1.49700    81.6       7.92
22        -42.485  (可変)                           7.76
23         -7.778    0.55   1.74320    49.3        7.35
24        -12.738  (可変)                          7.64
25*        22.070    2.49   1.69350    53.2       9.86
26        -43.370    0.55   1.84666    23.9        9.68
27      -10000.000  (可変)                          9.61
像面        ∞
非球面データ
第7面
K =-2.53272e-002  A 4= 7.25940e-006  A 6=-3.82125e-007  A 8= 2.31405e-008  A10= 2.33230e-010
第16面
K =-4.16021e-001  A 4=-5.25909e-005  A 6=-7.99241e-007  A 8=-3.79321e-010
第21面
K =-4.07748e-001  A 4=-5.40459e-005  A 6= 1.43022e-006  A 8=-4.39568e-008  A10= 1.62988e-009
第25面
K = 6.93554e-001  A 4= 3.70565e-006  A 6=-8.05622e-007  A 8= 3.60423e-008  A10=-4.98167e-010
各種データ
ズーム比      9.42 
広角     中間     望遠
焦点距離       6.69    17.74    63.03
Fナンバー      3.10     3.87     5.54
画角          30.08    12.32     3.52
像高           3.88     3.88     3.88
レンズ全長    83.19    84.27    88.72
BF             5.12    10.34     4.02
d 5            0.75     7.33    15.29
d11            9.86     4.36     0.81
d13            1.20     1.20     1.20
d15           14.05     4.87     0.50
d22            2.66     2.78     2.95
d24            9.44    13.27    23.82
d27            5.12    10.34     4.02
入射瞳位置    19.01    40.12   119.74
射出瞳位置   -35.90   -54.90  -314.68
前側主点位置  24.61    53.03   170.31
後側主点位置  -1.57    -7.40   -59.01
ズームレンズ群データ
群  始面    焦点距離  レンズ構成長  前側主点位置  後側主点位置
1    1      31.08         8.07         1.65         -3.17
2    6      -7.78         6.61         0.75         -4.32
PR   12       ∞           8.75         2.39         -2.39
3   14    -171.20         0.50         0.51          0.17
4   16      14.54        12.59         5.79         -7.71
5   23     -28.21         0.55        -0.52         -0.85
6   25      35.54         3.04        -0.18         -1.94
単レンズデータ
レンズ  始面  焦点距離
1       1    -56.91
2       2     40.55
3       4     38.08
4       6     -8.91
5       8    -13.49
6      10     16.96
7      12      0.00
8      14   -171.20
9      16     11.02
10      18    -15.16
11      21     18.26
12      23    -28.21
13      25     21.42
14      26    -51.45
【００７０】
【表１】
2010152318.tif 000003
【００７１】
以上、本発明の好ましい実施例について説明したが、本発明はこれらの実施例に限定されず、その要旨の範囲内で種々の変形及び変更が可能である。
【００７２】
例えば、本願実施例の反射ユニットとしてはプリズムＰＲを採用しているが、ミラーを選択しても良い。
【００７３】
また、第２レンズ群の負レンズの枚数を１枚で構成しても良く、第２レンズ群の正レンズの枚数を２枚以上のレンズで構成しても良い。
【符号の説明】
【００７４】
Ｌ１  第１レンズ群
Ｌ２  第２レンズ群
Ｌ３  第３レンズ群
Ｌ４  第４レンズ群
Ｌ５  第５レンズ群
Ｌ６  第６レンズ群
ＰＲ  プリズム
ＩＰ  像面
ＳＰ  開口絞り
ＧＢ  ガラスブロック
△Ｓ  サジタル像面
△Ｍ  メリディオナル像面
【図１】
2010152318.tif 000004
【図２】
2010152318.tif 000005
【図３】
2010152318.tif 000006
【図４】
2010152318.tif 000007
【図５】
2010152318.tif 000008
【図６】
2010152318.tif 000009
【図７】
2010152318.tif 000010
【図８】
2010152318.tif 000011
【図９】
2010152318.tif 000012
【図１０】
2010152318.tif 000013
【図１１】
2010152318.tif 000014